(57)【要約】【課題】コンセントプラグの抜けを防止すること。【解決手段】テーブルタップ２０の下面を支持する台座１５と、台座１５から立設する長尺状のステンレス支柱１１と、ステンレス支柱１１を挟持して上下方向に移動自在且つ対向する両端の間隔をネジ１３及び１４により狭めてステンレス支柱１１に固定可能な一対の可動部１２とを備え、一対の可動部１２が、ステンレス支柱１１の両側を挟み込んだ状態でテーブルタップ２０及びコンセントプラグ３０を台座１５との間に挟み込んで固定するように構成されたコンセントプラグ抜け防止装置。【選択図】図１
2015090800.tif 000002
【特許請求の範囲】
【請求項１】
テーブルタップに差し込んだコンセントプラグの抜けを防止するコンセントプラグ抜け防止装置であって、
テーブルタップの下面を支持する台座と、該台座から立設する長尺状の支柱と、該支柱を挟持して上下方向に移動自在且つ対向する両端の間隔を狭めることによって支柱に固定する一対の可動部とを備え、
前記一対の可動部が、前記支柱の両側を挟み込んだ状態で前記テーブルタップ及びコンセントプラグを前記台座との間に挟み込んで固定するように構成されていることを特徴とするコンセントプラグ抜け防止装置。
【請求項２】
前記コンセントプラグが電力を供給するためのコード及び該コードの根元部を保持するプラグ突起とを有し、前記一対の可動部が、前記コンセントプラグのコードを貫通し且つ前記プラグ突起を収納する貫通孔を備えたことを特徴とする請求項１記載のコンセントプラグ抜け防止装置。
【請求項３】
前記支柱が四角柱形状を成し、前記一対の可動部が、該四角柱形状支柱の一側面に接して垂直方向の上下移動を案内する三角突起部を備えることを特徴とする請求項１又は２記載のコンセントプラグ抜け防止装置。
【請求項４】
前記台座が、支柱の上端を保持する中空四角形状の垂直立設部を立設していることを特徴とする請求項１から３何れかに記載のコンセントプラグ抜け防止装置。
【請求項５】
前記支柱が円柱形状を成し、前記台座が、支柱の上端を保持し且つ一対の可動部の垂直方向の上下移動を案内する中空四角形状の垂直立設部を立設していることを特徴とする請求項１又は２記載のコンセントプラグ抜け防止装置。
【発明の詳細な説明】
【技術分野】
【０００１】
本発明は、テーブルタップに挿入したコンセントプラグの抜けを防止することができるコンセントプラグ抜け防止装置に関する。
【背景技術】
【０００２】
一般にデータセンタにおけるコンピュータ機器の電源供給には主電源に接続したテーブルタップに複数のコンセントプラグを挿入することが行われており、このコンセントプラグがコンセントケーブルの重みやテンション等による垂直の張力とケーブルねじれ等による反時計方向の張力によって抜け落ちる可能性があり、このコンセントプラグ抜けは２４時間稼働を前提とするコンピュータシステムの停止に繋がり重要な課題である。
【０００３】
従来技術によるコンセントプラグ抜け技術が記載された文献としては、下記の特許文献１が挙げられ、この特許文献１には、差込み式のコンセントプラグがコンセントに差し込まれた状態で差込みプラグの滑りを阻止しながら差込みプラグを包むスリットを設けたハウジングと、該ハウジングを開閉自在とする開閉手段とを有するコンセント抜け防止具が記載されている。
【先行技術文献】
【特許文献】
【０００４】
【特許文献１】特開平１０−９２５１１号公報
【発明の概要】
【発明が解決しようとする課題】
【０００５】
前述の特許文献１記載技術は、コンセントプラグの抜けを防止することができるものの、一対の刃受を有する壁面埋め込み型のコンセントに対して壁面にハウジングを固定するため、コンピュータシステムに用いられる多数の受口を有するマルチタップ式のテーブルタップには適用することが困難であるという課題があった。
【０００６】
本発明の目的は、前述の従来技術による課題を解決しようとするものであり、マルチタップ式のテーブルタップに挿入したコンセントプラグの抜けを容易に防止することができるコンセントプラグ抜け防止装置を提供することである。
【課題を解決するための手段】
【０００７】
前記目的を達成するため本発明は、テーブルタップに差し込んだコンセントプラグの抜けを防止するコンセントプラグ抜け防止装置であって、
テーブルタップの下面を支持する台座と、該台座から立設する長尺状の支柱と、該支柱を挟持して上下方向に移動自在且つ対向する両端の間隔を狭めることによって支柱に固定する一対の可動部とを備え、
前記一対の可動部が、前記支柱の両側を挟み込んだ状態で前記テーブルタップ及びコンセントプラグを前記台座との間に挟み込んで固定するように構成されていることを第１の特徴とする。
【０００８】
また、本発明は、第１の特徴のコンセントプラグ抜け防止装置において、前記コンセントプラグが電力を供給するためのコード及び該コードの根元部を保持するプラグ突起とを有し、前記一対の可動部が、前記コンセントプラグのコードを貫通し且つ前記プラグ突起を収納する貫通孔を備えたことを第２の特徴とし、前記何れかの特徴のコンセントプラグ抜け防止装置において、前記支柱が四角柱形状を成し、前記一対の可動部が、該四角柱形状支柱の一側面に接して垂直方向の上下移動を案内する三角突起部を備えることを第３の特徴とし、前記何れかの特徴のコンセントプラグ抜け防止装置において、前記台座が、支柱の上端を保持する中空四角形状の垂直立設部を立設していることを第４の特徴とする。
【０００９】
また、本発明は、第１又は第２の特徴のコンセントプラグ抜け防止装置において、前記支柱が円柱形状を成し、前記台座が、支柱の上端を保持し且つ一対の可動部の垂直方向の上下移動を案内する中空四角形状の垂直立設部を立設していることを第５の特徴とする。
【発明の効果】
【００１０】
本発明によるコンセントプラグ抜け防止装置は、支柱に対して上下する一対の可動部が、支柱の両側を挟み込んだ状態で前記テーブルタップ及びコンセントプラグを前記台座との間に挟み込んで固定することによって、コンセントプラグの抜けを容易に防止することができる。
【図面の簡単な説明】
【００１１】
【図１】本発明の第１実施形態によるコンセントプラグ抜け防止装置を示す斜視図。
【図２】第１実施形態による可動部の断面構造を示す図。
【図３】本発明の第２実施形態によるコンセントプラグ抜け防止装置を示す斜視図。
【発明を実施するための形態】
【００１２】
以下、本発明によるコンセントプラグ抜け防止装置の実施形態を図面を参照して詳細に説明する。
［第１実施形態］
本発明の第１の実施形態によるコンセントプラグ抜け防止装置は、図１に示す如く、コンセントプラグ３０の刃を差し込んだ状態におけるテーブルタップ２０の下面を支持する台座１５と、該台座１５の端部から立設する四角柱形状且つ長尺状のステンレス支柱１１と、該ステンレス支柱１１を挟持して上下方向に移動可能な一対の可動部１２とから構成される。
【００１３】
前記一対の可動部１２は、図２の断面に示す如く、ステンレス支柱１１の両側を挟み込む凹部１９と、両端をネジ１３及びネジ１４によりネジ止めするためのネジ貫通孔１７と、コンセントプラグ３０のコード３１を貫通すると共にコンセントプラグ３０の突出したプラグ突起３２が嵌め合わせるように台形円錐状に開口された貫通孔１６と、前記四角柱形状のステンレス支柱１１の一側面に接して台座１５に対する可動部１２の垂直方向の上下移動を案内する三角突起部１２ａとを備える。
【００１４】
このように構成されたコンセントプラグ抜け防止装置は、一対の可動部１２の間隔を開け、コンセントプラグ３０の刃を差し込んだ状態におけるテーブルタップ２０の下面を台座１５に載せ、一対の可動部１２の貫通孔１６にコンセントプラグ３０のコード３１を貫通させ、次いで台座１５に立設するステンレス支柱１１に沿って一対の可動部１２を下方向に移動させて台形円錐状に開口された貫通孔１６にコンセントプラグ３０のプラグ突起３２を差し込んで一対の可動部１２がコンセントプラグ３０を台座１５との間に挟み込み、この状態に於いてネジ１３及びネジ１４をネジ締めすることにより一対の可動部１２の間隔を狭めてステンレス支柱１１に固定することによって、テーブルタップ２０及びコンセントプラグ３０を一対の可動部１２と台座１５間に固定することができる。
【００１５】
特に、本実施形態によるコンセントプラグ抜け防止装置は、一対の可動部１２の三角突起部１２ａがステンレス支柱１１の一側面に沿って垂直に移動させることができると共に、コンセントプラグ３０のプラグ突起３２及びコード３１を可動部１２の台形円錐状に開口された貫通孔１６に差し込むことによって、テーブルタップ２０及びコンセントプラグ３０を隙間無く強固に固定することができる。
【００１６】
［第２実施形態］
前述した第１の実施形態によるコンセントプラグ抜け防止装置は、台座１５とステンレス支柱１１と一対の可動部１２により構成される例を説明したが、本発明は当該構造に限られるものではなく、例えば、図３に示す如く、台座１５上に立設したステンレス支柱１１の上部を保持する中空四角形状の垂直立設部１５ａを設け、該垂直立設部１５ａの上部がステンレス支柱１１の上部を保持した状態で台座１５に立設するステンレス支柱１１に沿って一対の可動部１２を下方向に移動させて台形円錐状に開口された貫通孔１６にコンセントプラグ３０のプラグ突起３２を差し込んで一対の可動部１２がコンセントプラグ３０を台座１５との間に挟み込み、この状態に於いてネジ１３及びネジ１４をネジ締めすることにより一対の可動部１２の間隔を狭めてステンレス支柱１１に固定することによって、テーブルタップ２０及びコンセントプラグ３０を一対の可動部１２と台座１５間に固定することができる。
【００１７】
特に、本実施形態によるコンセントプラグ抜け防止装置は、垂直立設部１５ａがステンレス支柱１１の上部を保持するためステンレス支柱１１の垂直を強固に維持した状態で一対の可動部１２の三角突起部１２ａをステンレス支柱１１の一側面に沿って垂直に移動させ、コンセントプラグ３０のプラグ突起３２及びコード３１を可動部１２の台形円錐状に開口された貫通孔１６に差し込むことによって、テーブルタップ２０及びコンセントプラグ３０を隙間無く強固に固定することができる。
【００１８】
尚、前述の実施形態においては、四角柱形状のステンレス支柱１１を使用する例を説明したが、本発明によるステンレス支柱は四角柱形状に限られるものではなく、円柱形状であっても良く、この場合は、ステンレス支柱１１側面に沿った垂直方向の上下移動を保持するため図３に示した一対の可動部１２の三角突起部１２ａの左右端幅を拡げて垂直立設部１５ａの両側に接して垂直移動を保持するように構成しても良く、また、凹部１９を用いずにステンレス支柱を挟み込むように構成しても良い。
【符号の説明】
【００１９】
１１  ステンレス支柱、１２  可動部、１２ａ  三角突起部、
１３及び１４  ネジ、１５  台座、１５ａ  垂直立設部、
１６  貫通孔、１７  ネジ貫通孔、１９  凹部、２０  テーブルタップ、
３０  コンセントプラグ、３１  コード、３２  プラグ突起
【図１】
2015090800.tif 000003
【図２】
2015090800.tif 000004
【図３】
2015090800.tif 000005